(57)【特許請求の範囲】
【請求項１】
コンクリート躯体構造をもつ住宅において、
玄関（Ｅ）の床廻りの玄関躯体部分（Ｆｅ）を、玄関床スラブ（Ｆｅ−Ｓｆ）と、該玄関床スラブ（Ｆｅ−Ｓｆ）上にこれと一体に打設成形される持出梁（Ｆｅ−Ｂ）とにより二重構造に構成し、前記玄関床スラブ（Ｆｅ−Ｓｆ）と持出梁（Ｆｅ−Ｂ）との間に形成される空隙部（１０）に、発泡スチロールなどの遮音部材（１１）を装填し、前記持出梁（Ｆｅ−Ｂ）の居室（２０）側の縁部上面には、上框（１４）を遮音板（１２）を介して接合し、この上框（１４）に、持出梁（Ｆｅ−Ｂ）とは絶縁状態にある床構造体（Ｆｒ）の端縁を隣接配置し、さらに持出梁（Ｆｅ−Ｂ）の上面には、玄関床（１９）が敷設されることを特徴とする、住宅における玄関の床廻り構造。
【請求項２】
前記玄関床スラブ（Ｆｅ−Ｓｆ）と、持出梁（Ｆｅ−Ｂ）とは、それらと一体に打設成形される梁（Ｂｂ２）により一体に結合されてなることを特徴とする、前記請求項１記載の、住宅における玄関の床廻り構造。
【発明の詳細な説明】
【０００１】
【発明の属する技術分野】
本発明は、建物、主として集合住宅などの住宅における玄関の床廻り構造に関するものである。
【０００２】
【従来の技術】
一般にマンションなどの集合住宅では、階上で発生する衝撃振動が、階下の居住空間へと振動騒音となって伝わり、居住空間の環境悪化、品質の低下を招く原因になるので、その遮音対策が大きな課題となっている。
【０００３】
そこで、従来から種々の遮音対策が提案されているが、これらの遮音対策は、いずれも階上の居室やサニタリーにて発生する振動騒音の階下の居室への伝播を吸収低減する構造のものである。
【０００４】
【発明が解決しようとする課題】
ところが、本出願の発明者等の実験、研究によれば、階上から階下の居室などに伝播する衝撃振動のうち、階上の玄関廻りにて発生する振動騒音（玄関にて人や荷物の出入りなどにより発生する衝撃騒音）が、階上から階下へ、あるいは同階の居室へと伝播する、振動騒音の無視できない発生要因になっていることが判明した。
【０００５】
本発明はかかる実情に鑑みてなされたもので、住宅の玄関の床廻り構造を改良して、玄関廻りに発生する衝撃騒音の階下や同階への伝播を可及的に低減して遮音効果を一層高めるようにした、新規な建物における玄関の床廻り構造を提供することを目的とするものである。
【０００６】
【課題を解決するための手段】
前記目的達成のため、本請求項１記載の発明は、コンクリート躯体構造をもつ住宅において、玄関の床廻りの玄関躯体部分を、玄関床スラブと、該玄関床スラブ上にこれと一体に打設成形される持出梁とにより二重構造に構成し、前記玄関床スラブと持出梁との間に形成される空隙部に、発泡スチロールなどの遮音部材を装填し、前記持出梁の居室側の縁部上面には、上框を遮音板を介して接合し、この上框に、持出梁とは絶縁状態にある床構造体の端縁を隣接配置し、さらに持出梁の上面には、玄関床が敷設されることを特徴とし、また、本請求項２記載の発明は、前記請求項１記載のものにおいて、前記玄関床スラブと、持出梁とは、それらと一体に打設成形される梁により一体に結合されてなることを特徴としており、前記特徴によれば、玄関への人や荷物の出入などにより、玄関の床廻りに発生した衝撃振動は、持出梁と玄関床スラブとにより二重構造の玄関躯体部分を経て建物のコンクリート躯体全域へと拡散伝播させることができ、しかもその衝撃振動は、その伝播過程で、発泡スチロールなどの遮音部材により減衰吸収されるので、前記衝撃振動は、玄関の床廻りのところで効果的に遮音されて、階下の居室などに振動騒音となって伝播されるのを可及的に低減することができる。また、玄関躯体部分は、同階の隣接する居室の床構造体に直接接触することがないので、玄関の床廻りの衝撃振動は、同階の居室への伝播も大幅に低減することができる。
【０００７】
【発明の実施の形態】
以下、本発明の実施の形態を、添付図面に示した本発明の実施例に基づいて説明する。
【０００８】
まず、図１〜５を参照して、本発明の第１実施例について説明する。
【０００９】
図１は、本発明玄関の床廻り構造を備えた集合住宅の図２の１−１線に沿う一部破断平面図、図２は、図１の２−２線に沿う断面図、図３は、図１の３−３線に沿う拡大断面図、図４は、図１の４−４線に沿う拡大断面図、図５は、図４の５−５線に沿う断面図である。
【００１０】
図１，２において、集合住宅の骨格を構成する、逆梁構造のコンクリート躯体Ｆは、水平方向に延びて、建物を複数の階層に区画する水平躯体部分Ｆｈと、鉛直方向に延びて上下の水平躯体部分Ｆｈを相互に連結する鉛直躯体部分Ｆｖを備えている。
【００１１】
水平躯体部分Ｆｈは、上下階層に仕切る床スラブＳｆを備え、この床スラブＳｆの一戸の住宅Ｈを区画する周囲には、逆大梁Ｂｂ１が、その床スラブＳｆの中間部には縦横に逆小梁Ｂｂ２が上向きにそれぞれ一体に突設され、この建物のコンクリート躯体Ｆは所謂「逆梁構造」に構成されている。また、前記鉛直躯体部分Ｆｖは、各居住空間の隅部に立設される躯体柱１と、並列する躯体柱１間を連結する、躯体外壁２および躯体隔壁３とを備えている。
【００１２】
水平躯体部分Ｆｈにより仕切られる各階層には複数戸の住宅Ｈが並列され、各住宅Ｈは躯体外壁２、躯体隔壁３により区画される。
【００１３】
各階層において、並列される複数戸の住宅Ｈの玄関Ｅ側には、それらに沿って通路Ｐがコンクリート躯体Ｆと一体に打設形成されており、各戸の住宅Ｈは、該通路Ｐに隣接して玄関Ｅが構築され、各玄関Ｅは、躯体外壁２に開設した玄関口５を通して通路Ｐに連通される。そして、その玄関口５は開閉扉６により開閉される。
【００１４】
つぎに、本発明に従う玄関の床廻り構造について、図１，２に、図３〜５を併せ参照して説明すると、玄関Ｅの床廻りの骨格を構成する玄関躯体部分Ｆｅは、逆大梁Ｂｂ１に隣接する玄関床スラブＦｅ−Ｓｆと、その玄関床スラブＦｅ−Ｓｆ上に櫓状に一体に構築される持出梁Ｆｅ−Ｂとにより二重構造に形成されており、この持出梁Ｆｅ−Ｂは、上壁部分８と側壁部分９とを有していて、玄関床スラブＦｅ−Ｓｆと持出梁Ｆｅ−Ｂとの間には、密閉状の空隙部１０が形成され、この空隙部１０には、遮音板としての発泡スチロール１１が装填される。
【００１５】
しかして、前記持出梁Ｆｅ−Ｂは、玄関床スラブＦｅ−Ｓｆと共に、図示しない従来公知の型枠により建物のコンクリート躯体Ｆを打設成形する際に、それと一体に成形される。
【００１６】
図４に示すように、持出梁Ｆｅ−Ｂの上面の、居室２０との境界部には、遮音板１２および受プレート１３を介して上框１４が接合される。持出梁Ｆｅ−Ｂの上面には、モルタル１７を敷設し、その上にタイル１８を接合して玄関床１９が積層され、この玄関床１９と上框１４間の間隙は、バックアップ材１５上のシーリング１６により液密にシールされる。
【００１７】
図４，５に示すように、前記玄関Ｅに隣接する居室２０の床構造体Ｆｒは、コンクリート躯体Ｆの逆小梁Ｂｂ１上に、遮音板２１を介して平行に横架される複数の大引ビーム２２と、それらの大引ビーム２２上にそれらと直交して横架固定され複数の根太２３と、それらの根太２３上に敷設される床板２４とより構成される。床板２４は、下地材２４ａに仕上板２４ｂを一体に接着して構成され、該仕上板２４ｂの端縁が、前記上框１４に連接される。
【００１８】
しかして、図５に示すように、大引ビーム２２および床板２４の端縁は、コンクリート躯体Ｆの鉛直躯体壁Ｆｖとの間に小隙ｄが形成されて、直接接触することがなく絶縁状態にあり、これにより、玄関Ｅの床廻りに作用する衝撃振動が、該玄関Ｅに隣接する居室２０に直接伝播しないようになっている。
【００１９】
玄関Ｅの床廻りは、前記した構造を備えていることにより、該玄関Ｅへの人や荷物の出入などにより、玄関Ｅの床廻りに発生した衝撃振動は、持出梁Ｆｅ−Ｂと玄関床スラブＦｅ−Ｓｆとにより二重構造の玄関躯体部分Ｆｅを経て建物のコンクリート躯体Ｆ全域へと拡散伝播し、しかもその衝撃振動は、その伝播過程で、遮音部材である発泡スチロール１１により減衰吸収されるので、前記衝撃振動は、玄関Ｅの床廻りのところで効果的に遮音されて、階下の居室などに振動騒音となって伝播されるのを可及的に低減することができる。また、玄関躯体部分Ｆｅは、同階の隣接する室２０の床構造体Ｆｒに直接接触することがないので、玄関Ｅの床廻りの衝撃振動は、同階の居室２０への伝播も大幅に低減することができる。
【００２０】
つぎに、図６，７を参照して本発明の第２実施例について説明する。
【００２１】
図６は、玄関とこれに隣接する居室の一部の縦断面図、図７は、図６の７−７線に沿う部分断面図であり、これらの図において、前記第１実施例と同じ要素には、同じ符号が付される。
【００２２】
この第２実施例は、玄関Ｅの床廻りの玄関躯体部分Ｆｅを構成する持出梁Ｆｅ−Ｂの、居室２０側の側壁部分９に打増部３０が一体に成形され、この打増部３０の上面に、複数の大引ビーム２２の一端部が支持部材Ｓｕを介して高さ調整可能に支持される。支持部材Ｓｕは、打増部３０の上面に遮音板３２を介して支持される基板３１と、この基板３１上に起立される一対の螺杆３３に螺合されるナット３４により昇降調節可能に支持される、断面凹状の受部材３５とより構成され、この受部材３５に、凹状の遮音ゴム３６を介して大引ビーム２２が支持される。前記第１実施例と同じく、複数の大引ビーム２２上には、複数の根太２３が支持され、それらの根太２３上に床板２４が敷設され、床板２４の一端は上框１４に連接され、また、大引ビーム２２の端面と、持出梁Ｆｅ−Ｂの側面間には、小隙ｄが形成されている。
【００２３】
この第２実施例のものでは、打増部３０を一体に形成した持出梁Ｆｅ−Ｂと、玄関床スラブＦｅ−Ｓｆとより玄関躯体部分Ｆｅを二重構造とすることができ、前記第１実施例のものと同じ効果を奏する。
【００２４】
つぎに、図８〜１０を参照して本発明の第３実施例について説明する。
【００２５】
図８は、本発明玄関の床廻り構造を実施した住宅の一部の平面図、図９は、図８の９−９線に沿う断面図、図１０は、図８の１０−１０線に沿う断面図でありこれらの図において、前記第１、第２実施例と同じ要素には、同じ符号が付される。
【００２６】
この第３実施例は、アルコーブＡ付の玄関Ｅに本発明の床廻り構造を実施した場合であり、アルコーブＡ付の玄関躯体部分Ｆｅは、該玄関床スラブＦｅ−Ｓｆと、その上に密閉状の空隙部１０を介して櫓状に一体に成形される持出梁Ｆｅ−Ｂとにより二重構造に形成されている。前記密閉状の空隙部１０の中間部には、玄関ＥとアルコーブＡとに跨がるように逆小梁Ｂｂ２が通っており、この逆小梁Ｂｂ２は、玄関躯体部分Ｆｅと持出梁Ｆｅ−Ｂの上壁部分８とを一体に結合する。前記密閉状の空隙部１０内には、前記逆小梁Ｂｂ２の両側において、遮音部材である発泡スチロール１１が装填されている。
【００２７】
図９に示すように、玄関Ｅの両側、すなわち持出梁Ｆｅ−Ｂの両側において、それと平行に配置される複数の大引ビーム２２は、コンクリート躯体Ｆの逆小梁Ｂｂ２上に支持され、また、図１０に示すように、玄関Ｅの後方、すなわち持出梁Ｆｅ−Ｂの後方において、平行に配置される大引ビーム２２は、持出梁Ｆｅ−Ｂの後側の側壁部分９の形成した打増部３０と逆小梁Ｂｂ２間に支持部材Ｓｕを介して支持されている。そして、それらの大引ビーム２２上には、それらと直交して複数の根太２３が支持され、それらの根太２３上に床板２４が敷設される。大引ビーム２２の端面は、前記第１，２実施例と同じく建物の躯体部分と接触することがない。
【００２８】
玄関Ｅの床廻りは、前記した構造を備えていることにより、該玄関Ｅへの人や荷物の出入りなどにより、玄関Ｅの床廻りに発生した衝撃振動は、二重構造の持出梁Ｆｅ−Ｂおよび玄関床スラブＦｅ−Ｓｆと、それらを一体に結合する逆小梁Ｂｂ２を経て建物のコンクリート躯体Ｆ全域へと拡散伝播し、しかもその衝撃振動は、その伝播過程で、遮音部材である発泡スチロール１１により減衰吸収されるので、前記衝撃振動は、玄関Ｅの床廻りのところで効果的に遮音されて、階下の居室などに振動騒音となって伝播されるのを可及的に低減することができるばかりでなく、玄関Ｅの床廻りは、同階の隣接する室２０の床構造体Ｆｒに直接接触することがないので、玄関Ｅの床廻りの衝撃振動は、同階の居室への伝播も大幅に低減することができる。
【００２９】
以上、本発明の実施例について説明したが、本発明はその実施例に限定されることなく、本発明の範囲内で種々の実施例が可能である。
【００３０】
たとえば、前記実施例では、本発明を、逆梁構造の躯体を備えた集合住宅に実施した場合を説明したが、これを他の建物にも実施できることは勿論である。
【００３１】
【発明の効果】
以上のように、本請求項各項記載の発明によれば、玄関の床廻りに発生した衝撃振動は、持出梁と玄関床スラブとにより二重構造の玄関躯体部分を経て建物のコンクリート躯体全域へと拡散伝播させることができ、しかもその衝撃振動は、その伝播過程で、発泡スチロールなどの遮音部材により減衰吸収されるので、前記衝撃振動は、玄関の床廻りのところで効果的に遮音されて、階下の居室などに振動騒音となって伝播されるのを可及的に低減することができる。また、玄関躯体部分は、同階の隣接する居室の床構造体に直接接触することがないので、玄関の床廻りの衝撃振動は、同階の居室への伝播も大幅に低減することができる。
【図面の簡単な説明】
【図１】本発明玄関の床廻り構造を備えた集合住宅の図２の１−１線に沿う一部破断平面図（第１実施例）
【図２】図１の２−２線に沿う断面図
【図３】図１の３−３線に沿う拡大断面図
【図４】図１の４−４線に沿う拡大断面図
【図５】図４の５−５線に沿う断面図
【図６】玄関とこれに隣接する居室の一部の縦断面図（第２実施例）
【図７】図６の７−７線に沿う部分断面図
【図８】本発明玄関の床廻り構造に実施した住宅の一部の平面図（第３実施例）
【図９】図８の９−９線に沿う断面図
【図１０】図８の１０−１０線に沿う断面図
【符号の説明】
１０・・・・・・・・・・空隙部
１１・・・・・・・・・・遮音部材（発泡スチロール）
１２・・・・・・・・・・遮音板
１４・・・・・・・・・・上框
１９・・・・・・・・・・玄関床
２０・・・・・・・・・・居室
Ｆｒ・・・・・・・・・・床構造体
Ｆｅ・・・・・・・・・・玄関躯体部分
Ｆｅ−Ｂ・・・・・・・・持出梁
Ｆｅ−Ｓｆ・・・・・・・玄関床スラブ
【図１】
0003803600.tif 000002
【図２】
0003803600.tif 000003
【図３】
0003803600.tif 000004
【図４】
0003803600.tif 000005
【図５】
0003803600.tif 000006
【図６】
0003803600.tif 000007
【図７】
0003803600.tif 000008
【図８】
0003803600.tif 000009
【図９】
0003803600.tif 000010
【図１０】
0003803600.tif 000011